(57)【特許請求の範囲】
【請求項１】
原稿読取部で読み取った原稿の画像データを画像形成部の感光体に書き込む書込制御部には、基準色データメモリと画像処理ユニットとセレクタと基準色パターン認識部と濃度変換部を有し、
前記基準色データメモリには各色ごとの基準色を示す基準色画像データが格納され、
前記画像処理ユニットは前記原稿読取部で読み取った原稿の画像データを処理して前記セレクタと前記基準色パターン認識部に送り、
前記セレクタは前記濃度変換部に対する前記基準色データメモリと前記画像処理ユニットとの接続を切り換え、
前記基準色パターン認識部は前記画像処理ユニットで処理している画像信号に基準色パッチパターンがあるか否かを認識し、基準色パッチパターンがないことを確認すると前記セレクタを前記基準色データメモリ側に接続して前記濃度変換部に各色の基準色を示す基準色画像データを送り、
前記濃度変換部は送られた基準色画像データを操作者が指定した原稿の画像の色合いや濃度に応じて変更し、変更した基準色画像信号をレーザドライバに送り、変更した基準色画像信号による画像を感光体に書き込ませ、
その後、前記基準色パターン認識部は前記セレクタを前記画像処理ユニット側に切り換え、読み取った画像の画像信号を前記画像処理ユニットから前記濃度変更部に送り、前記濃度変更部は送られた原稿の画像信号を基準色画像信号に加えた色合いや濃度と同じ値で変更してレーザドライバに送り、変更した画像信号による画像を感光体に書き込ませ、
前記画像形成部は感光体に書き込まれた変更した画像信号による画像とともに変更した基準色画像信号による画像を転写材に形成することを特徴とする画像形成装置。
【請求項２】
前記濃度変換部で変更した基準色画像信号の画像は、階調性を有する少なくもイエロー，マゼンタ，シアンのパッチパターンである請求項１記載の画像形成装置。
【請求項３】
前記書込制御部に基準色ズレ量判定部を有し、
前記基準色パターン認識部は前記画像処理ユニットで処理している画像信号に基準色パッチパターンがあることを認識すると、前記セレクタを前記画像処理ユニット側に接続し、
前記基準色ズレ量判定部は前記基準色パターン認識部で認識した基準色パッチパターンの色と前記基準色データメモリに格納されている基準色画像データの色を比較して基準色パッチパターンの色ズレ量を判定し、
前記濃度変換部は前記基準色ズレ量判定部で判定した基準色パッチパターンの色ズレ量が最小になるように前記画像処理ユニットから送られる基準色パッチパターンと原稿の画像信号の色を補正してレーザドライバに送ることを特徴とする請求項１又は２記載の画像形成装置。
【請求項４】
前記濃度変換部は原稿の画像信号の色を補正するとき、原稿の定められた位置で画像補正のための情報を読み取った結果、高濃度のパターンは読み取れても地肌濃度と濃度差がなく、低濃度のパターンを読み取れない場合は、地肌濃度に一定の値を加えた値を低濃度のパターンを読み取った値と置き換えて複写する画像の色味を補正することを特徴とする請求項４記載の画像形成装置。
【発明の詳細な説明】
【０００１】
【発明の属する技術分野】
この発明は、デジタルカラー複写機やカラーイメージスキャナ，カラープリンタ等の画像形成装置、特に形成する画像の色の補正に関するものである。
【０００２】
【従来の技術】
カラー複写機等では原稿の画像の色を忠実に再現する必要がある。このため、例えば特開平９ー１８６９００号公報に示されているように、カラー画像を形成するトナー固有の特性と経時変化する複写機等の固有の特性に応じてカラーバランスの自動設定を実現するに際して、カラーバランス条件の算出やバランス設定のための演算処理の簡素化と操作者の作業が容易にできるテストシートを作成して使用するようにしている。
【０００３】
【発明が解決しようとする課題】
しかしながらカラー複写機で一度複写したものを原稿にして二度目の複写を行い、二度目に複写したものを原稿にして三度目の複写を行うといったことを繰り返すと、複写した原稿の色は一般的にはどんどんオリジナルの色から離れていってしまう。
【０００４】
また、複写したものを原稿にして再度転写紙に複写する場合に、同じカラー複写機で複写されるとは限らないし、色味もマニアル操作で故意に変えられている場合もある。このためカラー複写機には色を調整する機能は有っても、オリジナルの色が分からないため、上記のように何度も複写を繰り返すとオリジナルの色を転写紙に再現することはほとんど不可能だった。
【０００５】
この発明はかかる短所を改善し、複写した画像を原稿にして複写することを繰り返してもオリジナルの色から複写した画像の色がずれることを防ぐことができる画像形成装置を提供することを目的とするものである。
【０００６】
【課題を解決するための手段】
この発明に係る画像形成装置は、原稿読取部で読み取った原稿の画像データを画像形成部の感光体に書き込む書込制御部には、基準色データメモリと画像処理ユニットとセレクタと基準色パターン認識部と濃度変換部を有し、前記基準色データメモリには各色ごとの基準色を示す基準色画像データが格納され、前記画像処理ユニットは前記原稿読取部で読み取った原稿の画像データを処理して前記セレクタと前記基準色パターン認識部に送り、前記セレクタは前記濃度変換部に対する前記基準色データメモリと前記画像処理ユニットとの接続を切り換え、前記基準色パターン認識部は前記画像処理ユニットで処理している画像信号に基準色パッチパターンがあるか否かを認識し、基準色パッチパターンがないことを確認すると前記セレクタを前記基準色データメモリ側に接続して前記濃度変換部に各色の基準色を示す基準色画像データを送り、前記濃度変換部は送られた基準色画像データを操作者が指定した原稿の画像の色合いや濃度に応じて変更し、変更した基準色画像信号をレーザドライバに送り、変更した基準色画像信号による画像を感光体に書き込ませ、その後、前記基準色パターン認識部は前記セレクタを前記画像処理ユニット側に切り換え、読み取った画像の画像信号を前記画像処理ユニットから前記濃度変更部に送り、前記濃度変更部は送られた原稿の画像信号を基準色画像信号に加えた色合いや濃度と同じ値で変更してレーザドライバに送り、変更した画像信号による画像を感光体に書き込ませ、前記画像形成部は感光体に書き込まれた変更した画像信号による画像とともに変更した基準色画像信号による画像を転写材に形成することを特徴とする。
【０００７】
前記濃度変換部で変更した基準色画像信号の画像は、階調性を有する少なくもイエロー，マゼンタ，シアンのパッチパターンであることが望ましい。
【０００８】
前記書込制御部に基準色ズレ量判定部を有し、前記基準色パターン認識部は前記画像処理ユニットで処理している画像信号に基準色パッチパターンがあることを認識すると、前記セレクタを前記画像処理ユニット側に接続し、前記基準色ズレ量判定部は前記基準色パターン認識部で認識した基準色パッチパターンの色と前記基準色データメモリに格納されている基準色画像データの色を比較して基準色パッチパターンの色ズレ量を判定し、前記濃度変換部は前記基準色ズレ量判定部で判定した基準色パッチパターンの色ズレ量が最小になるように前記画像処理ユニットから送られる基準色パッチパターンと原稿の画像信号の色を補正してレーザドライバに送ると良い。
【０００９】
また、前記濃度変換部は原稿の画像信号の色を補正するとき、原稿の定められた位置で画像補正のための情報を読み取った結果、高濃度のパターンは読み取れても地肌濃度と濃度差がなく、低濃度のパターンを読み取れない場合は、地肌濃度に一定の値を加えた値を低濃度のパターンを読み取った値と置き換えて複写する画像の色味を補正すると良い。
【００１４】
【発明の実施の形態】
この発明の画像形成装置の書込制御部には画像処理ユニットと基準色パターン認識部と基準色データメモリとセレクタと濃度変換部と基準色ズレ量判定部とセレクト信号発生部を有する。
【００１５】
画像処理ユニットに原稿の画像信号が送られると、基準色パターン認識部は画像処理ユニットで処理している画像信号に基準色パッチパターンがあるかどうかを確認し、オリジナル原稿を読み取ったときには、オリジナル原稿には基準色パッチパターンがないからセククタを基準色データメモリ側に接続し、あらかじめ定められた一定時間後に基準色データメモリからクロック信号に同期して濃度変換部にイエロー（Ｙ）とマゼンタ（Ｍ）とシアン（Ｃ）及び黒（Ｋ）の基準色を示す基準色画像データを送り出す。濃度変換部は送られた基準色画像データを操作者が指定した原稿の画像の色合いや濃度に応じて変更し、変更した基準色画像信号をレーザドライバに送り、レーザ発光部を点灯して感光体に基準色画像信号による静電潜像を書き込む。その後、基準色パターン認識部はセレクタを画像形成ユニット側に切り換え、読み取った画像の画像信号を画像処理ユニットから濃度変更部に送る。濃度変更部は送られた原稿の画像信号を基準色画像信号に加えた色合いや濃度と同じ値で変更してレーザドライバに送り、感光体に原稿の画像信号に応じた静電潜像を形成する。この感光体に形成された基準色画像の静電潜像と原稿の画像の静電潜像を現像装置で現像して転写紙に転写し、転写紙に基準色パッチパターンと原稿から読み取った画像を形成する。
【００１６】
この基準色パッチパターンを有する転写紙に形成されたフルカラーの画像を原稿にして複写する場合、読み取った画像信号が画像処理ユニットに送られると、基準色パターン認識部は画像処理ユニットで処理している画像信号に基準色パッチパターンがあることを確認するとセレクタを画像処理ユニット側に接続したままにして、基準色ズレ量判定部に基準色パッチパターンの各色信号を送る。基準色ズレ量判定部は送られた基準色パッチパターンの色と基準色データメモリに格納してある基準色とのズレ量を判定し、判定した結果をセレクト信号発生部に送る。セレクト信号発生部は送られたズレ量が最小になるように濃度変換部の補正値を選択する。濃度変換部は選択された補正値で画像処理ユニットから送られる基準色パッチパターンと転写紙に形成された画像の色を補正してレーザドライバに送り、感光体に静電潜像を形成する。
【００１７】
【実施例】
図１はこの発明の一実施例のデジタルカラー複写機の構成図である。図に示すように、カラー複写機１は原稿読取部２とイエロー（Ｙ）とマゼンタ（Ｍ）とシアン（Ｃ）及び黒（Ｋ）の４ドラム式の画像形成部３を有する。原稿読取部２はコンタクトガラス４と、反射器６，７を有する露光ランプ５と、露光ランプ５と共に移動する移動ミラー８と、移動ミラー８の１／２の移動速度で同一方向に移動する移動ミラー９，１０と、レンズ１１と、ダイクロイックミラー１２及びＣＣＤ１３Ｂ，１３Ｇ，１３Ｒを有する。
【００１８】
画像形成部３はイエロー（Ｙ）とマゼンタ（Ｍ）とシアン（Ｃ）及び黒（Ｋ）の感光体２１Ｙ，２１Ｍ，２１Ｃ，２１Ｋと、各感光体２１Ｙ〜２１Ｋに画像を書き込むポリゴンミラー２２Ｙ〜２２Ｋとスキャナモータ２３Ｙ〜２３Ｋと、各感光体２１Ｙ〜２１Ｋの周囲に配置された帯電手段２４Ｙ〜２４Ｋと現像装置２５Ｙ〜２５Ｋと除電手段２６Ｙ〜２６Ｋと転写手段２７Ｙ〜２７Ｋとクリーニング手段２８Ｙ〜２８Ｋと、駆動ローラ２９と従動ローラ３０に巻き回され、給紙手段３１に貯蔵された転写紙３２を各感光体２１Ｙ〜２１Ｋと転写手段２７Ｙ〜２７Ｋの間に搬送する搬送ベルト３３及び搬送ベルト３３の下流側に設けられた定着手段３４を有する。
【００１９】
このカラー複写機１の書込制御部には図２のブロック図に示すように増幅・Ａ／Ｄ変換部４１Ｂ，４１Ｇ，４１Ｒと同期メモリ４２Ｂ，４２Ｇ，４２Ｒと画像処理ユニット４３と基準色パターン認識部４４と基準色データメモリ４５Ｙ，４５Ｍ，４５Ｃ，４５Ｋとセレクタ４６と濃度変換部４７Ｙ，４７Ｍ，４７Ｃ，４７Ｋと基準色ズレ量判定部４８とセレクト信号発生部４９とレーザドライバ５０Ｙ，５０Ｍ，５０Ｃ，５０Ｋ及びレーザ発光部５１Ｙ，５１Ｍ，５１Ｃ，５１Ｋを有する。基準色パターン認識部４４は画像処理ユニット４３で処理している画像信号に基準色パッチパターンがあるか否を認識する。基準色データメモリ４５Ｙ〜４５Ｋにはイエロー（Ｙ）とマゼンタ（Ｍ）とシアン（Ｃ）及び黒（Ｋ）の基準色を示す基準色画像データが格納されている。濃度変換部４７Ｙ〜４７Ｋは例えば図３に示すように、イエロー（Ｙ）とマゼンタ（Ｍ）とシアン（Ｃ）及び黒（Ｋ）の各色毎に、図４に示すように、入力信号に対して出力信号を変更する複数の補正特性例えば３種類の補正特性ａ〜補正特性ｃを格納したメモリを有する色補正回路４７１ａ〜４７１ｃが設けられ、操作者の操作パネル１４の操作や基準色ズレ量判定部４８の判定結果によりセレクト信号発生部４９で選択したセレクト信号によりアクティブになった色補正回路４７１ａ〜４７１ｃのいずれかにより入力した画像信号の色合いや濃度を変更する。基準色ズレ量判定部４８は基準色パターン認識部４４で認識した基準色パッチパターンの色と基準色データメモリ４５Ｙ〜４５Ｋに格納されている基準色画像データの色を比較して基準色パッチパターンの色ズレ量を判定する。
【００２０】
このカラー複写機１で操作者がコンタクトガラス４上に原稿をセットして操作パネル１４上のスタートキー１５を押すと露光ランプ５が点灯し、露光ランプ５から出た光は反射器６，７からの光りと合わさってコンタクトガラス４上に置かれた原稿を照射する。原稿からの反射光は露光ランプ５と一体になって移動する移動ミラー８で反射され、移動ミラー８の１／２の移動速度で同一方向に移動する移動ミラー９，１０で反射され、レンズ１１を通りダイクロイックミラー１２に入り光の３原色に分解されて、ブルー（Ｂ）の光はＣＣＤ１３Ｂに結像し、グリーン（Ｇ）の光はＣＣＤ１３Ｇに結像し、レッド（Ｒ）の光はＣＣＤ１３Ｒに結像する。ＣＣＤ１３Ｂ〜１３Ｒは結像した光量に応じた電圧を増幅・Ａ／Ｄ変換部４１Ｂ〜４１Ｒに出力する。増幅・Ａ／Ｄ変換部４１Ｂ〜４１Ｒは送られた１画素毎の微少信号を増幅してＡ／Ｄ変換を行い、例えば８ｂｉｔのデジタル信号に変換する。このデジタル信号はクロック発生部で作られるクロック信号に同期して同期メモリー４２Ｂ〜４２Ｒに一旦蓄えられる。同期メモリー４２Ｂ〜４２Ｒに蓄えられた画像信号は転写紙３２にイエロー（Ｙ）とマゼンタ（Ｍ）とシアン（Ｃ）及び黒（Ｋ）の４色分の画像が重なるようなタイミングでそれぞれ読み出され画像処理ユニット４３に送られる。
【００２１】
このように原稿の画像を読み取り転写紙３２にフルカラーの画像を形成する場合に、原稿の先端部を読み取り、読み取った画像信号が送られ始めた原稿の最初の一定範囲例えば４ｍｍ程度の間は一般的に画像処理ユニット４３で画像信号の流れを遮断して転写紙３２の先端部の一定範囲には画像を形成せず白抜きにしている。そこで、この白抜きにする区間を利用して画像補正を行うために必要な基準色情報を基準色パッチパターンとして形成する。
【００２２】
画像処理ユニット４３に画像信号が送られると、基準色パターン認識部４４は画像処理ユニット４３で処理している画像信号に基準色パッチパターンがあるかどうかを確認する。オリジナル原稿を読み取ったときには、オリジナル原稿には基準色パッチパターンがないから基準色パターン認識部４４は基準色パッチパターンがないことを確認すると、セククタ４６を基準色データメモリ４５Ｙ〜４５Ｋ側に接続し、あらかじめ定められた一定時間後に基準色データメモリ４５Ｙ〜４５Ｋからクロック信号に同期して濃度変換部４７Ｙ〜４７Ｋにイエロー（Ｙ）とマゼンタ（Ｍ）とシアン（Ｃ）及び黒（Ｋ）の基準色を示す基準色画像データを送り出す。濃度変換部４７Ｙ〜４７Ｋは送られた基準色画像データを、操作者が原稿の画像の色合いや濃度に応じて操作パネル１４上の濃度可変ボタンの薄いボタン１６や濃いボタン１７の操作することによりセレクト信号発生部４９で発生したセレクト信号でアクティブになった色補正回路４７１ａ〜４７１ｃのいずれかにより色合いや濃度を変更し、変更した基準色画像信号をレーザドライバ５０Ｙ〜５０Ｋに送る。レーザドライバ５０Ｙ〜５０Ｋは送られた基準色画像信号に応じて１画素毎に時間変調を加えてレーザ発光部５１Ｙ〜５１Ｋを点灯する。このレーザ発光部５１Ｙ〜５１Ｋからの変調されたレーザ光はスキャナモータ２３Ｙ〜２３Ｋにより回転しているポリゴンミラー２２Ｙ〜２２Ｋに照射され、ポリゴンミラー２２Ｙ〜２２Ｋから反射したレーザ光はｆ・θレンズにより感光体２１Ｙ〜２１Ｋの表面を等速で走査するよう光学的補正が加えられた後、帯電手段２４で均一に帯電した感光体２１Ｙ〜２１Ｋの表面を回転方向に対して垂直に走査して感光体２１Ｙ〜２１Ｋに基準色画像信号による静電潜像を、転写紙３２の先端部の一定範囲の白抜きにする区間に対応する感光体２１Ｙ〜２１Ｋの位置に形成する。このレーザ光で感光体２１Ｙ〜２１Ｋを走査するときに、各色毎に独立して作成する画像が転写紙３２に正確に重ね合わされるように、感光体２１Ｙ〜２１Ｋの走査を開始する位置をフォトセンサで検出して書込みタイミングを各色毎に調整している。
【００２３】
その後、基準色パターン認識部４４はセレクタ４６を画像形成ユニット４３側に切り換え、画像処理ユニット４３は同期メモリ４２Ｂ〜４２Ｒから送られた画像信号をγ補正回路によりγ補正し、マスキング処理回路により色の濁りを取り除き、ＵＣＲ処理回路にて下色除去補正して墨入れ処理回路にて黒の画像信号を作り出すといったような信号処理を行った後、セレクタ４６を経由して濃度変更部４７Ｙ〜４７Ｋに送る。濃度変更部４７Ｙ〜４７Ｋは送られた原稿の画像信号を基準色画像信号に加えた色合いや濃度と同じ色補正回路４７１で変更してレーザドライバ５０Ｙ〜５０Ｋに送る。レーザドライバ５０Ｙ〜５０Ｋは送られた画像信号に応じて１画素毎に時間変調を加えてレーザ発光部５１Ｙ〜５１Ｋを点灯し、感光体２１Ｙ〜２１Ｋの表面を走査して感光体２１Ｙ〜２１Ｋに原稿の画像信号に応じた静電潜像を形成する。
【００２４】
各感光体２１Ｙ〜２１Ｋに形成した基準色画像の静電潜像と原稿の画像の静電潜像は現像装置２５Ｙ〜２５Ｋでそれぞれ現像され可視画像になる。この感光体２１Ｙ〜２１Ｋに形成されている可視画像を搬送ベルト３３により所定タイミングで搬送されている転写紙３２に転写して、イエロー（Ｙ）とマゼンタ（Ｍ）とシアン（Ｃ）及び黒（Ｋ）の順に重ね合わせ、図５に示すように、転写紙３２の先端部にイエロー（Ｙ）とマゼンタ（Ｍ）とシアン（Ｃ）及び黒（Ｋ）の基準色を示す基準色パッチパターン６０を形成し、転写紙３２の所定の位置に原稿から読み取った画像を形成し、定着手段３４で定着して排出する。
【００２５】
この転写紙３２に形成された基準色パッチパターン６０は、イエロー（Ｙ）のダークＹＤと中間調ＹＮ２と中間調ＹＮ１とハイライトＹＬと、マゼンタ（Ｍ）のダークＭＤと中間調ＭＮ２と中間調ＭＮ１とハイライトＭＬと、シアン（Ｃ）のダークＣＤと中間調ＣＮ２と中間調ＣＮ１とハイライトＣＬ及び黒（Ｋ）のダークＫＤと中間調ＫＮ２と中間調ＫＮ１とハイライトＫＬから構成している。
【００２６】
この基準色パッチパターン６０を有する転写紙３２に形成されたフルカラーの画像を原稿にして複写する場合、ＣＣＤ１３Ｂ〜１３Ｒで読み取った画像信号が画像処理ユニット４３に送られると、基準色パターン認識部４４は画像処理ユニット４３で処理している画像信号に基準色パッチパターン６０があるか否を確認する。この確認の結果、画像信号に基準色パッチパターン６０があると、基準色パターン認識部４４はセレクタ４６を画像処理ユニット４３側に接続したままにして、基準色ズレ量判定部４８に基準色パッチパターン６０のイエロー（Ｙ）とマゼンタ（Ｍ）とシアン（Ｃ）及び黒（Ｋ）の各色信号を送る。基準色ズレ量判定部４８は送られた基準色パッチパターン６０の色と基準色データメモリ４５Ｙ〜４５Ｋに格納してある基準色とのズレ量を判定し、判定した結果をセレクト信号発生部４９に送る。セレクト信号発生部４９は送られたズレ量が最小になるように濃度変換部４７Ｙ〜４７Ｋの色補正回路４７１ａ〜４７１ｃのいずれかを選択するセレクト信号を選択して濃度変換部４７Ｙ〜４７Ｋに送る。濃度変換部４７Ｙ〜４７Ｋは送られたセレクト信号により選択された色補正回路４７１により画像処理ユニット４３から送られる基準色パッチパターン６０と転写紙３２に形成された画像の色を補正してレーザドライバ５０Ｙ〜５０Ｋに送る。この転写紙３２に形成された画像の色を補正するときに、高濃度のパターンは読み取れても地肌濃度と濃度差がなく、低濃度のパターンを読み取れない場合は、地肌濃度に一定の値を加えた値を低濃度のパターンを読み取った値と置き換えて画像の色味を補正する。レーザドライバ５０Ｙ〜５０Ｋは送られた画像信号に応じて１画素毎に時間変調を加えてレーザ発光部５１Ｙ〜５１Ｋを点灯し、感光体２１Ｙ〜２１Ｋの表面を走査して感光体２１Ｙ〜２１Ｋに転写紙３２に形成された基準色パッチパターン６０と画像に応じた静電潜像を形成する。
【００２７】
このように複写のたびに基準色パッチパターン６０を転写紙３２の端部に付加しておき、次にこの転写紙３２を原稿として読み取ったときに、基準色パッチパターン６０を読んだ画像信号をあらかじめ定めておいた値になるように補正し、転写紙３２の画像部を読み込んだ信号も同じ色補正回路４７１で補正することにより、複写を繰返してもオリジナルの色から複写した色がずれることを防ぐことができる。
【００２８】
上記実施例は転写紙３２の先端部に基準色パッチパターン６０を形成した場合について説明したが、基準色データメモリ４５Ｙ〜４５Ｋからの読み出しタイミングを変更することにより、図６に示すように、転写紙３２の後端部や左右の端部にも基準色パッチパターン６０を形成しても良い。このように基準色パッチパターン６０を転写紙３２の各端部に形成することにより、転写紙３２に形成された画像を原稿にして再度複写する場合に、原稿として使用する転写紙３２をコンタクトガラス４にセットする方向を気にする必要が無く、使い勝手を良くすることができる。
【００２９】
【発明の効果】
この発明は以上説明したように、読み取った画像の色合いや濃度を補正して転写材に複写するときに、補正した画像とともに画像補正のために情報を転写材に付加するから、複写した画像の補正の内容を容易に確認することができる。
【００３０】
また、画像補正のために情報として階調性を有する少なくもイエロー，マゼンタ，シアンのパッチパターンを示すことにより、複写した画像の色補正の情報を容易に確認することができる。
【００３１】
さらに、画像補正のために情報は、あらかじめ記憶した基準色データに読み取った画像の色合いや濃度の補正と同じ補正を加えて付加することにより、複写した画像の色の基準色とのズレ量を精度良く確認することができる。
【００３２】
また、画像補正のために情報が付加された画像を原稿にして複写するときに、付加された画像補正のために情報とあらかじめ記憶した基準色データの色のズレ量から読み取った画像の色を補正することにより、複写を繰返してもオリジナルの色から複写した色がずれることを防ぐことができる。
【００３６】
また、読み取った画像を転写材に複写するときに、原稿の定められた位置で画像補正のための情報を読み取った結果、高濃度のパターンは読み取れても地肌濃度と濃度差がなく、低濃度のパターンを読み取れない場合は、地肌濃度に一定の値を加えた値を低濃度のパターンを読み取った値と置き換えて複写する画像の色味を補正することにより、複写した原稿の色ずれを精度良く防ぐことができる。
【図面の簡単な説明】
【図１】この発明の実施例のデジタルカラー複写機の構成図である。
【図２】上記実施例の書込制御部の構成を示すブロック図である。
【図３】濃度変換部の構成図である。
【図４】濃度の補正特性を示す入出力特性図である。
【図５】転写紙に形成された基準色パッチパターンの表示図である。
【図６】転写紙に形成された他の基準色パッチパターンの表示図である。
【符号の説明】
１；カラー複写機、２；原稿読取部、３；画像形成部、１３；ＣＣＤ、
２１；感光体、３２；転写紙、４１；増幅・Ａ／Ｄ変換部、
４２；同期メモリ、４３；画像処理ユニット、４４；基準色パターン認識部、
４５；基準色データメモリ、４６；セレクタ、４７；濃度変換部、
４８；基準色ズレ量判定部、４９；セレクト信号発生部、
５０；レーザドライバ、５１；レーザ発光部。
【図１】
0003998856.tif 000002
【図２】
0003998856.tif 000003
【図３】
0003998856.tif 000004
【図４】
0003998856.tif 000005
【図５】
0003998856.tif 000006
【図６】
0003998856.tif 000007